(57)【要約】  【課題】  情報端末装置において、接続機器との間で認証手続きを容易かつ自動的に行える技術を提供する。  【解決手段】  通信方式の判別結果に基づき、認証に用いる秘匿情報を、装置内に予め保持されている秘匿情報または新たに入力される秘匿情報のいずれかから選択し、該選択した秘匿情報により認証を行う。通信方式の判別では有線方式か無線方式かを判別し、判別の結果、有線方式の場合は、予め保持されている秘匿情報を用いて認証動作を行い、無線方式の場合は、新たに入力される秘匿情報を用いて認証動作を行う。【選択図】  図１
2005244483.tif 000002
【特許請求の範囲】
【請求項１】
接続機器との間で情報交換に先立ち認証を行う情報端末装置であって、
上記情報交換の通信方式を判別する通信方式認識手段と、
上記判別の結果に基づき、予め保持されている秘匿情報または新たに入力される秘匿情報のいずれかを選択し、該選択した秘匿情報により認証を行う通信処理手段と、
を備えた構成を特徴とする情報端末装置。
【請求項２】
接続機器との間で情報交換に先立ち認証を行う情報端末装置であって、
上記接続機器との間の交換情報を複数の通信方式により送受信可能な通信手段と、
上記複数の通信方式のうち、送受信に供される通信方式を判別する通信方式認識手段と、
上記認証用の秘匿情報を保持する記憶手段と、
上記認証用の秘匿情報を新たに入力するための入力手段と、
上記通信方式認識手段による判別結果に基づき、上記保持された秘匿情報、上記入力された秘匿情報のいずれかを選択するとともに、該選択した秘匿情報により認証を行う通信処理手段と、
を備え、
上記接続機器との情報交換に先立ち、上記通信方式の判別結果に基づき選択した秘匿情報による認証動作を行う構成としたことを特徴とする情報端末装置。
【請求項３】
上記通信手段は、有線方式による通信を行う有線手段と、無線方式による通信を行う無線手段とを有し、
上記通信処理手段は、上記通信方式認識手段が、送受信に供される通信方式を上記有線方式と判別した場合は、上記保持された秘匿情報に基づき上記認証動作を行い、また、該通信方式認識手段が、送受信に供される通信方式を上記無線方式と判別した場合は、上記新たに入力される秘匿情報に基づき上記認証動作を行う構成である請求項１または請求項２に記載の情報端末装置。
【請求項４】
上記通信処理手段は、上記認証動作において認証に失敗したとき、上記新たに入力された秘匿情報を用いて再度認証を行う構成である請求項１または請求項２に記載の情報端末装置。
【請求項５】
上記通信処理手段は、上記通信方式認識手段が、上記保持された秘匿情報に基づく上記認証動作において認証に失敗したときは秘匿情報を生成し、該生成した秘匿情報を用いて再度認証動作を行う構成である請求項３に記載の情報端末装置。
【請求項６】
接続機器との間で認証を行った後に情報交換を行う情報端末装置の情報交換方法であって、
認証要求を送信する第１のステップと、
上記接続機器からの機器認証要求を受信する第２のステップと、
上記接続機器との間で送受信に供されている通信方式を判別する第３のステップと、
記憶手段に予め保持された上記認証用の第１の秘匿情報を読出し、上記判別結果に基づき、該第１の秘匿情報または新たに入力された第２の秘匿情報のいずれかを選択する第４のステップと、
上記選択した秘匿情報により認証動作を行う第５のステップと、
上記認証結果に基づき、上記接続機器との間で情報交換を開始する第６のステップと、
を経て、情報交換を行うことを特徴とする情報端末装置の情報交換方法。
【請求項７】
上記第３のステップにおける判別の結果、上記接続機器との間の通信方式が有線方式である場合は、上記第４のステップで上記第１の秘匿情報を選択し、上記第５のステップで該第１の秘匿情報に基づく認証動作を行い、また、上記第３のステップにおける判別の結果、上記接続機器との間の通信方式が無線方式である場合は、上記第４のステップで上記第２の秘匿情報を選択し、上記第５のステップで該第２の秘匿情報に基づく認証動作を行う請求項６に記載の情報端末装置の情報交換方法。
【発明の詳細な説明】
【技術分野】
【０００１】
本発明は、情報端末装置に係り、特に、情報交換に先立って行う認証の技術に関する。
【背景技術】
【０００２】
現在、携帯電話、ＰＤＡ等の情報端末装置では、通話機能だけでなく、電話帳やスケジュールデータの管理機能などを有したものが普及している。また、このような情報端末装置には、携帯電話や他の情報端末装置が管理している電話帳やスケジュールデータを、送受信する（オブジェクト交換する）機能を有しているものもある。
オブジェクト交換機能を有する情報端末装置では、従来はデータ転送の可否に関する認証を行うものがあり、例えばデータ転送に先立って両方の端末に同値の数字を入力することにより認証を行っている(以下、この認証を機器認証という)。例えば、１台の情報端末装置が赤外線通信などの無線通信を用いてデータ転送要求を行ない、その要求を複数台の情報端末装置が受付けた場合、機器認証を行うことによって通信相手を特定し、１対１のデータ転送を行う。
特開２００２−５１１６２号公報（特許文献１）には、接続対象機器のパスワードを確実、迅速かつ容易に呼び出せる携帯電話装置として、電話帳検索手段により検索され選択されて不揮発メモリに登録されたパスワードを、通信手段を介してパーソナルコンピュータに送信して、認証を行う技術が記載されている。
【０００３】
【特許文献１】特開２００２−５１１６２号公報
【発明の開示】
【発明が解決しようとする課題】
【０００４】
上記従来技術では、データ転送に先立ち、携帯電話装置とパーソナルコンピュータとの両方に同じ認証番号の数字を入力することで認証を行うため、パスワードもしくは数値の入力操作が２回必要となり、ユーザは暗証パスワードを、直接にもしくは検索して入力操作する必要がある。
データ通信を行う２端末間をユニバーサル・シリアル・バス（ＵＳＢ）ケーブルのような有線で接続し特定の相手とデータ通信する場合においても、ユーザは、情報交換する２端末間をケーブルで接続することに加え、機器認証により特定の通信相手であることを認証する必要があり、通信相手の特定のために２重の操作を行うことになる。
また、カーナビゲーションシステム（以下、カーナビと呼ぶ）と携帯電話との間で情報交換を行う場合、ユーザが情報端末装置を使用する環境は車内であり、ユーザ操作が煩雑になり安全性の点でも好ましくない。
本発明の課題点は、上記従来技術の状況に鑑み、情報端末装置として、通信相手となる接続機器の認証のための２重操作を行うことなく、簡易な操作でまたは自動的に特定の通信相手の接続機器であることを認証できるようにすることである。
本発明の目的は、上記課題点を解決できる技術の提供にある。
【課題を解決するための手段】
【０００５】
上記課題点を解決するために、本発明では、接続機器との間で情報交換に先立ち認証を行う情報端末装置として、情報交換の通信方式を判別し、該判別結果に基づき、認証に用いる秘匿情報を、装置内に予め保持されている秘匿情報または新たに入力される秘匿情報のいずれかから選択し、該選択した秘匿情報により認証を行う構成とする。通信方式の判別では有線方式か無線方式かを判別し、判別の結果、有線方式の場合は、上記予め保持されている秘匿情報を用いて認証動作を行い、判別の結果、無線方式の場合は、上記新たに入力される秘匿情報を用いて認証動作を行う構成とする。これにより、ユーザは秘匿情報の入力操作が簡単になる。
【発明の効果】
【０００６】
本発明によれば、ユーザは、情報端末装置において、情報交換開始の指示操作を行うだけで情報取得が可能となり、情報端末装置の利便性が向上する。
【発明を実施するための最良の形態】
【０００７】
以下、本発明を実施するための最良の形態につき、図面を用いて説明する。
図１〜図５は、本発明の第１の実施形態の説明図である。図１は、本発明の第１の実施形態としての情報端末装置を用いて構成されるデータ通信システムの構成例図、図２は、本発明の第１の実施形態としての情報端末装置の構成例図、図３は、図２の情報端末装置の動作説明図、図４は、図２の情報端末装置で用いる通信プロトコルの無線方式シーケンスの説明図、図５は、図２の情報端末装置で用いる通信プロトコルの有線方式シーケンスの説明図である。
【０００８】
図１において、８０２は、本発明の情報端末装置としてのカーナビ、８０１は、カーナビ８０２に接続される機器（接続機器）としての携帯電話機である。本データ通信システムでは、携帯電話機８０１とカーナビ８０２はそれぞれ、自己のデータとしての電話帳データ、スケジュールデータなどを、無線（赤外線通信／Ｂｌｕｅｔｏｏｔｈ等）あるいは有線（ＵＳＢ／ＩＥＥＥ１３９４／ＬＡＮ等）で相手側に送信するとともに、無線あるいは有線で受信したデータを自己の内部のメモリに書き込むようになっている。
【０００９】
図２は、本発明の第１の実施形態としての情報端末装置の構成例を示す図である。
図２において、１０１は情報端末装置、１０２は、認証のためのパスワードなどの秘匿情報を入力する入力手段としての入力部、１０３は、情報交換の通信方式を判別する通信方式認識手段としての通信方式認識部、１０４は、上記通信方式の判別結果に基づき、上記認証に用いるパスワードなどの秘匿情報を、予めメモリなどに保持されている秘匿情報または新たに入力部１０２から入力される秘匿情報のいずれかを選択し、該選択した秘匿情報により認証を行う通信処理手段としての通信処理部、１０５は、秘匿情報を保持するメモリなど記憶手段としての記憶部、１０６は、秘匿情報としてのパスワード、１０７は、接続機器との間の交換情報を複数の通信方式（有線方式、無線方式）により送受信可能な通信手段としての通信部、１０８は、通信部１０７内で無線方式により上記交換情報を送受信する無線部、１０９は、通信部１０７内で有線方式により上記交換情報を送受信する有線部、１１０は、通信処理部１０４における認証動作の結果を、表示や音声アナウンスなどで表現する表現部である。情報端末装置１０１は、図１のデータ通信システムにおけるカーナビ８０２であってもよいしまたは携帯電話機８０１であってもよい。カーナビ８０２を情報端末装置とした場合は、携帯電話機８０１が接続機器となり、携帯電話機８０１を情報端末装置とした場合は、カーナビ８０２が接続機器に位置付けられる。
【００１０】
入力部１０２は、キーボードやタッチパネル、音声入力を受付けるマイクなどで構成され、ユーザの操作を受付ける。通信方式認識部１０３は、ＣＰＵなどの演算装置から構成され、記憶部１０５に含まれるプログラムに従って動き、通信部１０７が使用している通信方式（無線方式または有線方式）を読み出し、通信処理部１０４から読み出されれば結果を通知する。通信処理部１０４は、ＣＰＵなど演算装置から構成され、記憶部１０５に含まれるプログラムに従って動く。なお、通信方式認識部１０３、通信処理部１０４を構成するＣＰＵなどは同一のものでもよい。記憶部１０５は、ＲＡＭやＲＯＭなどのメモリ、ハードディスクドライブなどで構成され、電話帳データ、スケジュールデータ、その他の各種データ、プログラム、秘匿情報としてのパスワードなどを記憶する。認証動作用として使用するパスワード１０６は、例えば４桁の数字であってもよいし、または、システムの変更などに応じて、４桁以外の数字や英数混在符号などに変更してもよい。無線部１０８は、無線で情報を伝達する装置であり、赤外線通信、Ｂｌｕｅｔｏｏｔｈ、ＩＥＥＥ８０２．１１ｂ規格等による無線ＬＡＮや、狭域通信等の装置でもよい。有線部１０９は、有線で情報を伝達する装置であり、ユニバーサル・シリアル・バス（ＵＳＢ）、ＲＳ２３２Ｃ、ＩＥＥＥ１３９４、有線ＬＡＮなどの装置でもよい。表現部１１０は、視覚的に情報を伝える装置である液晶ディスプレイ、有機ＥＬディスプレイ、ヘッドマウントディスプレイ、聴覚的に情報を伝える装置であるスピーカ、触覚的に情報を伝える装置である振動発生機などであり、装置は単体でも複数でもよい。
【００１１】
図３は、上記図２に示す本発明の第１の実施形態としての情報端末装置の動作説明図である。本第１の実施形態の情報端末装置では、通信方式の認識を行うことにより、通信方式が有線方式の場合は、接続機器の認証を装置が自動的に行い、通信方式が無線方式の場合は、該接続機器の認証をユーザの入力操作を伴い行う。
以下、図３〜図５中で用いる上記図１〜図２の情報端末装置の構成要素には、図１〜図２の場合と同じ符号を付して用いるとする。
【００１２】
図３において、
（１）ユーザが情報端末装置１０１（例えばカーナビ８０２）の入力部１０２にデータ取得を指示し、認証のための動作を開始する(ステップＳ３０１)。
（２）ユーザが情報端末装置１０１の通信処理部１０４は、上記指示を受け、認証要求を、通信部１０７を経由して接続機器（例えば携帯電話機８０１）に送信する(ステップＳ３０２)。
（３）情報端末装置１０１の通信部１０７は、接続機器（例えば携帯電話機８０１）から機器認証要求を受信する(ステップＳ３０３)。
ここで、上記ステップＳ３０１〜ステップＳ３０３のステップをステップＳ１０１と呼ぶこととする。
（４）通信方式認識部１０３は、接続機器（例えば携帯電話機８０１）との通信方式を判別する(ステップＳ３０４)。
（５）通信処理部１０４は認証必要性を判別する(ステップＳ３０５)。
【００１３】
（６）接続機器が有線方式で接続されている場合は、記憶部１０５から秘匿情報としてのパスワード１０６が自動的に読み出される(ステップＳ３０６)。
（７）通信処理部１０４は、上記ステップＳ３０３で受信した機器認証要求と、上記ステップＳ３０６で読み出したパスワード１０６とにより、認証応答コードを生成する(ステップＳ３０８)。
（８）通信処理部１０４は、生成した認証応答コードを、通信部１０７を経由して接続機器側に送信する(ステップＳ３０９)。
ここで、上記ステップＳ３０４〜ステップＳ３０９のステップをステップＳ１０２と呼ぶこととする。
（９）通信部１０７は、接続機器からの応答を受信する(ステップＳ３１０)。
（１０）通信処理部１０４は、受信データの判定を行う(ステップＳ３１１)。
【００１４】
（１１）上記ステップＳ３１１の判定の結果、上記接続機器との間の認証が成功ならば、通信処理部１０４はデータ取得を行う(ステップＳ３１２)。
（１２）通信処理部１０４は、データ取得完了後、接続機器との間の通信を切断し(ステップＳ３１３)、動作を終了する。
（１３）上記ステップＳ３１１の判定の結果、上記接続機器との間の認証が失敗ならば、通信処理部１０４は、データ取得を行うことなく、動作を終了する。
ここで、上記ステップＳ３１０〜ステップＳ３１３のステップをステップＳ１０２と呼ぶこととする。
なお、上記ステップＳ３０４における通信方式の判別の結果、接続機器が無線方式で接続されている場合は、
（１４）通信処理部１０４による認証必要性判別(ステップＳ３０５)で認証必要と判定されると、表現部１１０は、表示や音声アナウンスなどによりユーザに対しパスワードの入力を促す。
（１５）ユーザによる入力部１０２へのパスワード入力がされる(ステップＳ３０７)と、通信処理部１０４は、認証応答コードを生成する(ステップＳ３０８)。
以降のデータ取得処理は、上記有線方式の場合と同様にして行われる。
【００１５】
図４は、従来の方式によるシーケンス説明図であり、また、図２の情報端末装置で用いる通信プロトコルの無線方式シーケンスの説明図である。情報端末装置としては図１のカーナビ８０２を用い、接続機器としては図１の携帯電話機８０１を用いるとし、携帯電話機８０１に保持された電話帳等のデータを、カーナビ８０２において無線方式で読み出す場合のシーケンスである。
【００１６】
図４において、
（１）まず、有線方式または無線方式で互いに相手と通信できる状態において、カーナビ８０２から携帯電話機８０１へデータ読み出しを行うための接続要求が送信される（ステップＳ９０１）。
（２）携帯電話機８０１は、端末の機器認証要求をユーザＡ宛に発行する（ステップＳ９０４）。
（３）ユーザＡは、例えば４桁の数字を入力部１０２より入力する(ステップＳ９０５)。
（４）携帯電話機８０１は、カーナビ８０２から送信された接続要求と上記ユーザＡが入力したパスワードに基づき認証要求情報を作成してカーナビ８０２側に送信する(ステップＳ９０６)。
（５）カーナビ８０２は、認証要求を受け取ると、ユーザＢへ機器認証を求める(ステップＳ９０７)。
【００１７】
（６）ユーザＢは、パスワードとして、携帯電話機８０１に入力した上記４桁の数字と同じ値を、カーナビ８０２に送信する(ステップＳ９０８)。
（７）カーナビは、受け取った入力値を用いて認証応答情報を作成し、携帯電話機８０１に送信する(ステップＳ９０９)。
（８）携帯電話機８０１は、カーナビ８０２から受け取った認証応答情報とユーザＢから入力されて作成した認証応答情報とを比較し、該比較結果を認証結果応答としてカーナビ８０２に送る(ステップＳ９１０)。
（９）カーナビ８０２では上記認証結果応答を受信し、認証完了通知(ＯＫ)の場合、データの読み出しを開始する(ステップＳ９１１、Ｓ９１２)。
（１０）以降、データ転送に必要な回数だけデータ読み出し要求(ステップＳ９１１)とデータ読み出し応答(ステップＳ９１２)が交互に繰返され、データ読み出しが完了すると、カーナビ８０２は切断要求を携帯電話機８０１に送信する。
（１１）携帯電話機８０１は、切断要求を受信し、切断応答をカーナビ８０２に送信する(ステップＳ９１３)。
（１２）カーナビ８０２は切断応答を受け取り終了する(ステップＳ９１４)。
【００１８】
なお、上記のユーザＡとユーザＢは同一のユーザであってもよい。
【００１９】
図５は、図２の情報端末装置で用いる通信プロトコルの有線方式シーケンスの説明図である。情報端末装置としては図１のカーナビ８０２を用い、接続機器としては図１の携帯電話機８０１を用いるとし、携帯電話機８０１に保持されたデータを、カーナビ８０２において有線方式で読み出す場合のシーケンスである。図５中、図４と同一の動作を行うシーケンスには、図４の場合と同じ符号を付す。
【００２０】
図５において、
（１）カーナビ８０２から携帯電話機８０１へ、データ読み出しを行うための接続要求が送信される（ステップＳ９０１）。
（２）携帯電話機８０１は、機器認証要求を携帯電話機８０１の通信処理部１０４に対して発行する（ステップＳ２０１）。
（３）携帯電話機８０１において、通信処理部１０４は、通信方式認識部１０３から通信方式を読み出し、認証が必要か否かを判別する。通信方式認識部１０３は前もって、通信開始時に通信部１０７より通信方式を読出して保持しておく。ＵＳＢ通信のように有線方式の場合、認証が不用と判断し、記憶部１０５よりパスワード１０６を読み出し、これを認証応答とする（ステップＳ２０２）。
（４）携帯電話機８０１は、通信処理部１０４で読み出した認証応答を認証要求に変換し、カーナビ８０２に送信する(ステップＳ９０６)。
（５）カーナビ８０２では、機器認証要求を受け取り、上記携帯電話機８０１における処理と同様の処理を行い、認証応答を生成し（ステップＳ２０３、ステップＳ２０４）、携帯電話機８０１に対し認証応答を送信する（ステップＳ９０９）。
（６）以降は、通常のデータ交換シーケンスのように、認証結果応答(ステップＳ９１０)から切断要求(ステップＳ９１４)までの一連の処理が行われる。
【００２１】
上記のように、本第１の実施形態では、データ交換プロトコルに同期させてパスワード入力による認証を自動化し、通信方式が有線である場合は、ユーザの煩雑な操作を省略してユーザの利便性を向上させる。情報端末装置がカーナビのように車載装置である場合は、車中において操作回数が削減されることは安全性の向上にもつながる。なお、データ交換に用いるプロトコルは、赤外線通信方式でＰＤＡやＰＣなどの間で電話帳情報などを送受信するために用いられているＩｒＯＢＥＸやＩｒＭＣなどのような、オブジェクト交換プロトコル（ＯＢＥＸ）を対象とする。
【００２２】
上記第１の実施形態によれば、接続が有線であると判断される場合、両端末の記憶部に予め記録されているパスワードを利用して自動的に機器認証を行う。これにより、ユーザは端末へのパスワード入力を省略することができ、利便性を向上させることができる。
【００２３】
図６は、本発明の情報端末装置の第２の実施形態の説明図である。本第２の実施形態は、初回認証失敗時に、ユーザが入力するパスワードを用いて再度認証手続きを行う場合の例である。以下、図６中で用いる上記図１〜図２の情報端末装置の構成要素及び上記図３のステップ要素には、それぞれ図１〜図２及び図３の場合と同じ符号を付して用いるとする。
【００２４】
図６において、
（１）上記第１の実施形態の場合と同様に、認証開始から認証要求受信までの各動作を行う(ステップＳ１０１)。
（２）認証パスワードから生成した認証応答の送信動作を行う（ステップＳ１０２）。
（３）通信部１０７は認証応答を受信する(ステップＳ４０１)。
（４）通信処理部１０４は、受信した認証応答の判別を行う(ステップＳ４０２)。
（５）上記判別の結果、認証失敗の場合は、通信処理部１０４は、ユーザの指示なしに再度認証手続きを行う(ステップＳ１０１)。
【００２５】
（６）ユーザが入力部１０２へパスワード入力を行う(ステップＳ４０３)。
（７）通信処理部１０４は、認証応答生成を行う(ステップＳ４０４)。
（８）通信処理部１０４は、生成した認証応答を送信する(ステップＳ４０５)。
（９）以降、有線方式の場合と同様、通信処理部１０４は、認証結果がＯＫ（認証成功）ならばデータを取得し、ＮＯ（認証失敗）ならば終了する(ステップＳ１０３)。
【００２６】
上記本発明の第２の実施形態によれば、初回の認証に失敗した場合、継続して認証手続きを再試行することができ、ユーザによる操作回数を減らすことができ、情報端末装置の利便性を向上させることができる。
【００２７】
図７は、本発明の情報端末装置の第３の実施形態の説明図である。本第３の実施形態は、初回認証失敗時に、自動的に生成したパスワードを用いて再度認証手続きを行う場合の例である。以下、本図７の場合も、その説明中で用いる上記図１〜図２の情報端末装置の構成要素及び上記図３のステップ要素には、それぞれ図１〜図２及び図３の場合と同じ符号を付して用いるとする。
【００２８】
図７において、
（１）カーナビ８０２において、接続機器である携帯電話機８０１との通信方式が有線方式であって、かつ、該携帯電話機８０１が予め記憶したパスワードを認証で使用し、該パスワードが、カーナビ８０２の記憶しているパスワードと異なる場合、上記第１の実施形態の場合と同様に、認証開始から認証要求受信までの各動作を行う(ステップＳ１０１)。
（２）通信処理部１０４は、認証パスワードから生成した認証応答を送信する（ステップＳ１０２）。
（３）通信部１０７は、認証応答を受信し(ステップＳ５０１)、通信処理部１０４は、該認証応答の判別を行う(ステップＳ５０２)。
（４）上記判別の結果、認証失敗である場合は、通信処理部１０４は、ユーザの指示なしに自動的に再度認証手続きを行う(ステップＳ１０１)。
（５）通信処理部１０４は、パスワードを新たに生成する(ステップＳ５０３)。
【００２９】
（６）通信処理部１０４は、上記生成したパスワードを用いて認証応答の生成を行う(ステップＳ５０４)。
（７）生成した認証応答を通信部１０７から送信する(ステップＳ５０５)。
（８）通信部１０７で応答を受信し(ステップＳ５０６)、通信処理部１０４は、認証結果の判別を行う(ステップＳ５０７)。
（９）認証成功の場合は、データを取得し(ステップＳ５０８)、通信を切断して(ステップＳ５０９)、動作を終了する。
（１０）認証失敗の場合は、再度認証手続き(ステップＳ１０１)から繰返す。この再度繰返されるパスワード生成付きの一連の認証手続きをステップＳ１０４とする。
通信処理部１０４で生成されるパスワードは、４桁の数字の場合、００００から９９９９までの数字を１つずつ生成して試行し、認証に成功するまで繰返す。
【００３０】
上記本発明の第３の実施形態によれば、通信方式認識部で有線方式と判別され、記憶部１０５のパスワード１０６を用いた１度目の認証に失敗した場合、パスワードを自動的に新たに生成し、認証に成功するまで（携帯電話機８０１の記憶部のパスワードと一致するまで）認証手続きを繰返す。この結果、ユーザは初めの情報交換指示を行うだけで、情報取得が可能となり、利便性を向上させることができる。
【００３１】
図８及び図９は、本発明の情報端末装置の第４の実施形態の説明図である。図８は情報端末装置の構成図、図９は、図８の情報端末装置の動作説明図である。
図８において、６０１は、電話帳などの情報を交換するデータ送受信機能を有する情報端末装置、６０２は、有線方式の通信を司る通信部である。その他、図２の情報端末装置（第１の実施形態）の場合と同様の動作を行うものについては、図２の場合と同じ符号を付す。
【００３２】
図９は、有線方式による通信装置を有する上記図８の情報端末装置６０１において、予め記憶しておいたパスワードを用いて認証を行い、認証に失敗した場合はパスワードを自動生成して再び認証動作を行う場合の例である。
図９において、
（１）まず、接続を開始後、認証要求を受信する(ステップＳ１０１)。
（２）通信処理部１０４は、記憶部１０５から、認証用の秘匿情報としてのパスワード１０６を読み出す(ステップＳ７０１)。
（３）通信処理部１０４は、認証応答の生成を行う(ステップＳ７０２)。
（４）通信部６０２から、上記生成した認証応答コードを含めて送信する(ステップＳ７０３)。
（５）応答を受信する(ステップＳ７０４)。
（６）通信処理部１０４は、認証結果を判別する(ステップＳ７０５)。
（７）上記判別の結果、認証成功の場合は、通信処理部１０４は、データ取得を行い(ステップＳ７０５)、通信を切断し(ステップＳ７０６)、動作を終了する。
（８）また、上記判別の結果、認証失敗の場合は、上記第３の実施形態におけると同様に、パスワードを新たに自動的に生成し、該生成したパスワードを用いた認証動作を実施する（ステップＳ１０４）。
【００３３】
上記本発明の第４の実施形態によれば、通信部６０２に有線方式の通信手段しか備えていない情報端末装置の場合に、ユーザは初めの情報交換指示を行うだけで情報取得が可能となり、情報端末装置の利便性を向上させることができる。
【００３４】
なお、本発明における情報端末装置は、電話帳などの情報交換を行うデータ通信機能を有するものであればよく、通信部の通信方式に対応する通信手段も特定のものに限定されない。また、上記した各実施形態の場合を含め、本発明における情報端末装置では、ユーザ操作により情報端末装置の設定を変更することで、自動的に認証を行う機能を解除できるようにしてもよい。
【図面の簡単な説明】
【００３５】
【図１】本発明の情報端末装置によるデータ通信システムの構成例図である。
【図２】本発明の第１の実施形態としての情報端末装置の構成例図である。
【図３】図２の情報端末装置の動作説明図である。
【図４】従来のシーケンスを示すとともに、図２の情報端末装置で用いる通信プロトコルの無線方式シーケンスの説明図である。
【図５】図２の情報端末装置で用いる通信プロトコルの有線方式シーケンスの説明図である。
【図６】本発明の情報端末装置の第２の実施形態の説明図である。
【図７】本発明の情報端末装置の第３の実施形態の説明図である。
【図８】本発明の第４の実施形態の情報端末装置の構成例図である。
【図９】図８の情報端末装置の動作説明図である。
【符号の説明】
【００３６】
１０１、６０１…情報端末装置、
１０２…入力部、
１０３…通信方式認識部、
１０４…通信処理部、
１０５…記憶部、
１０６…パスワード、
１０７、６０２…通信部、
１０８…無線部、
１０９…有線部、
１１０…表現部、
１１１…接続機器、
８０１…携帯電話機、
８０２…カーナビ。
【図１】
2005244483.tif 000003
【図２】
2005244483.tif 000004
【図３】
2005244483.tif 000005
【図４】
2005244483.tif 000006
【図５】
2005244483.tif 000007
【図６】
2005244483.tif 000008
【図７】
2005244483.tif 000009
【図８】
2005244483.tif 000010
【図９】
2005244483.tif 000011